(57)【要約】【課題】本発明の目的は、空気調和機、特に天井据付タイプの室内機を有する空気調和機のフィルタを簡単に清掃するための清掃機構を提供することである。【解決手段】本発明の空気調和機の清掃機構は、空気調和機の室内機の吸い込み口に設けたフィルタと、前記フィルタを覆い、前記吸い込み口に固定するカバー部材と、前記フィルタと前記カバー部材との間に設けられた掃除ノズルと、を備えた空気調和機の清掃機構であって、前記掃除ノズルがフィルタ側に吸い込み口を、反対側に真空源との接続口を有していることを特徴とする。【選択図】図１
2009092272.tif 000002
【特許請求の範囲】
【請求項１】
空気調和機の室内機の吸い込み口に設けたフィルタと、
前記フィルタを覆い、前記吸い込み口に固定するカバー部材と、
前記フィルタと前記カバー部材との間に設けられた掃除ノズルと、を備えた空気調和機の清掃機構であって、
前記掃除ノズルがフィルタ側に吸い込み口を、反対側に真空源との接続口を有していることを特徴とする清掃機構。
【請求項２】
前記掃除ノズルの前記吸い込み口が、フィルタの幅と略同じ幅を有していることを特徴とする請求項１に記載の清掃機構。
【請求項３】
前記掃除ノズルが、ブラシを有していることを特徴とする請求項１又は請求項２に記載の清掃機構。
【請求項４】
前記カバー部材が、前記フィルタと平行な平面内で、互いに平行に配置された１対のガイドレールを備え、
このガイドレールに案内されるローラーが、前記掃除ノズルに設けられていることを特徴とする請求項１から請求項３のいずれか１項に記載の清掃機構。
【請求項５】
前記ローラーガイドレールが前記カバー部材の両端部に設けられていることを特徴とする請求項４に記載の清掃機構。
【請求項６】
前記接続口が、掃除機の吸い込み管路に接続されることを特徴とする請求項１から請求項５に記載の清掃機構。
【発明の詳細な説明】
【技術分野】
【０００１】
本発明は、空気調和機の清掃機構に関し、特に天井据付タイプの室内機を有する空気調和機の清掃機構に関する。
【背景技術】
【０００２】
空気調和機の空気流通路には、流体に含まれるダスト等を除去して空気の清浄性を維持し、且つ、空気調和系の各種要素（ファン、圧縮機、熱交換器等）へのダストの付着を防止するため、流路中に流路と交差する向きにフィルタを設けることが行われている。
この種のフィルタはその機能上、使用するに従ってダスト等の付着、堆積することが避けられない。このようなダストの堆積は、いわゆるフィルタの目詰まりとして認識されるものであり、空気調和機の室内機において、フィルタの目詰まりは、解決すべき重要な課題である。フィルタが徐々に目詰まりを起こすことにより、熱交換器を通過する風量が低下してしまう。その結果として、ファンの駆動モータの負荷の増加を引き起こす。さらに、フィルタの目詰まりが進むと、ファンの故障を引き起こすこともある。
【０００３】
このフィルタの目詰まりが発生する原因として、使用者の清掃頻度、つまりメンテナンス頻度の少なさが挙げられる。清掃頻度が少ない理由として、フィルタ掃除の困難さがある。フィルタを掃除するためには、一度カバー部材を開け、そこからフィルタを取り外し、掃除機等でフィルタに付着しているダスト等を吸い取らなければならない。さらに、長期間清掃を行っていないフィルタは、ダスト等が強力に付着してしまっているので、洗剤等を用いて水洗いをしなければならない。
【０００４】
また、オフィス等で使用されている室内機が天井据付タイプである空気調和機は、家庭用の空気調和機と異なり、設置箇所である天井が高いため、清掃を行う際に危険が伴う。また、室内機の設置箇所の真下にはデスク等の障害物があることが多い。そのため、清掃を行うには危険が伴い、且つ清掃作業が困難な箇所が出現し、清掃に手間と時間とを要してしまう。このような理由のため、掃除の頻度はより減少してしまっている。
【０００５】
そこで、家庭用空気調和機には、特許文献１に示すように自動掃除機能を備えているものが開発されている。しかし、オフィス等で見かける天井据付タイプの空気調和機では、そのような清掃機構を有する空気調和機はなかった。
【特許文献１】特開２００３−１７１９０２号公報
【発明の開示】
【発明が解決しようとする課題】
【０００６】
本発明は、空気調和機、特に天井据付タイプの室内機を有する空気調和機のフィルタを簡単に清掃するための清掃機構を提供する。
【課題を解決するための手段】
【０００７】
空気調和機の室内機の吸い込み口に設けたフィルタと、前記フィルタを覆い、前記吸い込み口に固定するカバー部材と、前記フィルタと前記カバー部材との間に設けられた掃除ノズルと、を備えた空気調和機の清掃機構であって、前記掃除ノズルがフィルタ側に吸い込み口を、反対側に真空源との接続口を有していることを特徴とする。
【０００８】
前記掃除ノズルがフィルタの幅と略同じ幅を有していてもよい。
【０００９】
前記掃除ノズルが、ブラシを有していてもよい。
【００１０】
前記カバー部材が、前記フィルタと平行な平面内で、互いに平行に配置された１対のガイドレールを備え、このガイドレールに案内されるローラーが前記掃除ノズルに設けられていてもよい。
【００１１】
前記ローラーガイドレールが前記カバー部材の両端部に設けられていてもよい。
【００１２】
前記接続口が、掃除機の吸い込み管路に接続されていてもよい。
【発明を実施するための最良の形態】
【００１３】
図１は、本願発明の一実施形態の分解斜視図を示す。天井据付タイプの空気調和機の室内機は、図１に示すように、室内機の吸い込み口（図示せず）側にフィルタ１０を備え、室内機の吸い込み口及びフィルタ１０を覆うようにカバー部材２０を備えている。フィルタ１０とカバー部材２０との間には、フィルタ１０に付着したダスト等を清掃するための掃除ノズル３０が備えられている。
【００１４】
フィルタ１０は、空気調和系の各種要素（ファン、圧縮機、熱交換器等）へのダスト等の付着を防止するフィルタ本体１４と、前記フィルタ本体１４を支持する枠部材１２と、を有しており、空気調和機の吸い込み口を覆うように配置されている。
【００１５】
カバー部材２０は、開口部２４及び複数の通気孔２６を備え、フィルタ１０と平行な平面内に設けられている。開口部２４は、掃除ノズル３０が長さ方向に移動できるように掃除ノズルの差込口より大きい幅、及びフィルタ１０の長さ方向の両端部をつなぐ長さを有し、カバー部材の略中央部に設けられている。カバー部材２０は、前記フィルタ１０と平行な平面内で互いに平行に配置された１対のガイドレール２２を備えている。
【００１６】
掃除ノズル３０は、フィルタ１０の幅と略同じ長さを有する中空の箱状をなしている。掃除ノズル３０は、フィルタ１０側にフィルタ１０に付着したダスト等を吸い込むための吸い込み口３４を備え、カバー部材２０側に掃除機の管路４０に接続できる掃除機用差込口３２を備えている。掃除ノズル３０の吸い込み口３４は、フィルタ１０に向けられて開口している。掃除ノズル３０の吸い込み口３４は、フィルタの幅と略同じ長さを有している。掃除ノズル３０は、吸い込み口３４と共にフィルタ１０に付着したダスト等をブラッシングするためのブラシ３６を備えている。ブラシ３６は、図１に示すように、Ｌ１の長さを有しており、フィルタ１０に対して略垂直に交差する方向に伸びている。掃除機用差込口３２は、吸い込み口と反対の面に掃除ノズル３０の略中央部に設けられている。また、掃除ノズル３０は、長手方向において、両端に少なくとも１組のローラー３８を備えている。このローラー３８が、前記ローラーガイドレール２２上を転がることにより、このローラーガイドレール２２に沿って掃除ノズル３０が案内される。
【００１７】
図２は、本願発明の一実施形態の組立状態における断面図である。図２に示されるように、掃除ノズル３０のローラー３８がカバー部材２０のローラーガイドレール２２に支持され、ローラーガイドレール２２に沿った方向のみに移動可能となる（図２の矢印Ａ及び矢印Ａ’方向）。また、ブラシ３６は、フィルタ部材１０と掃除ノズル３０との間の距離Ｌ２がブラシの長さＬ１よりも短いためにフィルタ１０によって屈曲している。そのため、フィルタ１０と弾性変形状態で接触するため、フィルタ２０に付着したダスト等をブラッシングすることが可能となる。
【００１８】
使用者（図示せず）が掃除機用差込口３２に掃除機の管路４０、例えば柄（図示せず）又はホース（図示せず）を接続すると、掃除機の真空圧が掃除ノズル３０全体に作用し、吸い込み口３４からダスト等を吸い込むことが可能となる。使用者（図示せず）が前記掃除機の柄を保持してカバー部材２０の開口部２４の長さ方向（図１及び図２の矢印Ａ，Ａ’方向）に動かすことによって、掃除ノズル３０が矢印Ａ，Ａ’方向に移動する。その際、断線変形したブラシ３６によって、フィルタ１０に付着したダスト等がブラッシングされ、掃き出されたダスト等は掃除ノズル３０の吸い込み口３４から吸引される。
【００１９】
また、ブラシ３６は、掃除ノズル３０のカバー部材側に設けてられてもよい。ブラシ３６が掃除ノズル３０のカバー部材２０側に設けられることで、前記ブラシ３６は、カバー部材２０のフィルタ側に溜まったダスト等をブラッシングすることが可能となる。その結果、フィルタ１０だけでなくカバー部材２０も清潔に保つことができるため、フィルタの掃除頻度を減少することができる。
【図面の簡単な説明】
【００２０】
【図１】本願発明の一実施形態の分解斜視図である。
【図２】本願発明の一実施形態の組立状態における断面図である。
【符号の説明】
【００２１】
１０  フィルタ
１２  枠部材
１４  フィルタ本体
２０  カバー部材
２２  ローラーガイドレール
２４  開口部
２６  通気孔
３０  掃除ノズル
３２  掃除機差込口
３４  吸い込み口
３６  ブラシ
３８  ローラー
４０  掃除機の管路
Ａ  移動方向
Ａ’  移動方向
Ｌ１  ブラシの長さ
Ｌ２  フィルタ部材１０と掃除ノズル３０との間の距離
【図１】
2009092272.tif 000003
【図２】
2009092272.tif 000004